(57)【特許請求の範囲】
【請求項１】
上下階に亘って居室を配置した建物本体内の一階と二階との間に大型収納区画を構成する収納階を備え、かつ、この収納階の階高を上下階の階高よりも低く構成した収納階付き住宅であって、一階の居室空間のほぼ中央位置にキッチンを配置し、このキッチンからの排気ダクトを、前記大型収納区画に隣接し、かつキッチンの真上に設けられた収納区画とはされてない収納階の一部である矩形状のデッド区画を通し、このデッド区画から二階床下を通して外部に連通させたことを特徴とする住宅。
【請求項２】
請求項１記載の住宅において、前記一階の居室空間は、北側に玄関を備え、南側にリビングルームを備えた玄関区画と、北側に階段を中央にキッチンを南側に居間を備えたリビングダイニング区画と、北側に洗面等の水回りと南側に和室を備えた居間水回り区画とを備え、前記玄関区画と居間水回り区画とが、リビングダイニング区画を間に挟んで、東もしくは西に配置されており、
リビングダイニング区画の居間は、玄関区画のリビングルームと居間水回り区画の和室にそれぞれつながっており、前記玄関区画の玄関とリビングルームとはそれぞれつながっており、居間水回り区画の水回りと和室とはそれぞれつながっており、
リビングダイニング区画の階段の上り口は、前記居間水回り区画の洗面等の水回りに面して配置されていることを特徴とする住宅。
【発明の詳細な説明】
【０００１】
【発明の属する技術分野】
本発明は、上下階に亘って居室を配置した建物本体内の一階と二階との間に大型収納区画を構成する収納階を備え、かつ、この収納階の階高を上下階の階高よりも低く構成した収納階付き住宅に関する。
【０００２】
【背景の技術】
たとえば、一般住宅や集合住宅等の建物内には、物品を収納するために、押し入れ、天袋、納戸等が設けられ、近年では床下空間を利用した床下収納庫、さらには屋根裏収納などが設けられている。
【０００３】
ところで、近年においてはその家族構成や生活パターンの変化とともに、住戸内にも家具その他の多くの物品が揃えられ、また、その物品の使用形態も季節等に応じて多様化していることなどから、必要に応じてこれらの物品を建物内に収納しておくための大きな収納空間を必要とするようになってきている。この点は、土地の高騰に伴う敷地の有効利用および建物内容積の有効利用の観点からも、建物内に可能な限り大きくしかも効率的な収納空間を設けておくことが望まれている。
【０００４】
このような点を考慮した建物としては、たとえば、特開平７−１８０３６９号「蔵階付き建物」などがある。
【０００５】
【発明が解決しようとする課題】
ところで、このような「蔵階付き建物」などを含め、従来の例えば二階建て住宅においては、寝室、子供室を二階に配置することが多かった。しかし、従来の二階建て住宅の間取りでは、玄関から直接２階に行く階段を設けるものが多いため、１階で家事等をしている場合に、玄関からの家族の出入りなどに主婦が十分に気を配れないといった不満があった。
【０００６】
このため、本発明者等は、このような不満を解決すべく鋭意研究した結果、２階建て以上の建物の階段のレイアウトと寝室等の独立部屋との関係、主婦の仕事場となるキッチンの関係に着目し、キッチンを１階間取りの中心に据えて間取りを設計すれば、主婦の仕事場となるキッチンが住宅の中心となることから、玄関からリビングルーム、二階に通じる階段などを見渡せることができる間取りを容易に設計しえるとの考えに至った。
【０００７】
ところが、キッチンを住宅の中心とした場合、キッチンからの排熱を外部に逃がすためのダクトの配管が難しくなるなどの解決すべき課題が残る。
【０００８】
本発明の目的は、キッチンを１階間取りの中心に据えて間取りを設計しても、キッチンからの排熱を外部に逃がすためのダクトの配管スペースすなわちパイプスペースを容易に確保することのできる住宅を提供することにある。
【０００９】
【課題を解決するための手段】
上記の目的を達成するために本発明にかかる住宅は、上下階に亘って居室を配置した建物本体内の一階と二階との間に大型収納区画を構成する収納階を備え、かつ、この収納階の階高を上下階の階高よりも低く構成した収納階付き住宅であって、一階の居室空間のほぼ中央位置にキッチンを配置し、このキッチンからの排気ダクトを、前記大型収納区画に隣接し、かつキッチンの真上に設けられた収納区画とはされてない収納階の一部である矩形状のデッド区画を通し、このデッド区画から二階床下を通して外部に連通させたことを特徴とするものである。
【００１０】
このような本発明においては、キッチンからの排気ダクトを、収納階の収納区画の一部を通して外部に連通させたため、収納階の一部がパイプスペースを確保するので、排気ダクトの配管を容易に施工し得て、居室中央にキッチンをレイアウトする間取りに対する適応性を上げることができる。
【００１１】
また、上記構成の住宅において、前記一階の居室空間を、北側に玄関を備え、南側にリビングルームを備えた玄関区画と、北側に階段を中央にキッチンを南側に居間を備えたリビングダイニング区画と、北側に洗面等の水回りと南側に和室を備えた居間水回り区画とを備え、前記玄関区画と居間水回り区画とを、リビングダイニング区画を間に挟んで、東もしくは西に配置し、リビングダイニング区画の居間を、玄関区画のリビングルームと居間水回り区画の和室にそれぞれつなげ、前記玄関区画の玄関とリビングルームとをそれぞれつなげ、居間水回り区画の水回りと和室とをそれぞれつなげ、リビングダイニング区画の階段の上り口を、前記居間水回り区画の洗面等の水回りに面して配置する構成にすると、玄関から上階に上がるためには、必ず１階中央のキッチンを通ることとなり、玄関からの家族の出入りなどを主婦がキッチンで仕事をしている場合であっても、十分に気を配ることができる。また、敷地の接道に対応して玄関位置を変えることも可能である。さらに、玄関からリビングルーム等の共通空間への出入り口からの視界を、リビングルーム、居間空間、そして居間空間の向こう側にある和室まで見通せるようにさらに視界を大きく広げるようにすることができるので好ましい。
【００１４】
【発明の実施の形態】
以下、本発明の実施の形態を図面に基づいて説明する。
【００１５】
これらの図において、１は平面ほぼ矩形の二階建の建物（住宅）であり、切り妻の屋根２を有する。この切り妻の屋根２には、実施例では、太陽電池パネル３が屋根全面に亘って組み込まれている。
【００１６】
また、この建物１は、下階と上階との間に複数の大型収納区画Ｋ１、Ｋ２を備えた収納階ＫＦを備え、かつ、この収納階ＫＦの階高Ｈが上下階の階高Ｈ１、Ｈ２よりも低く構成された構造となっており、また、１階１Ｆはパブリックな第１居室空間Ｒ１とされ、２階２Ｆはプライベートな第２居室空間Ｒ２とされている。
【００１７】
図２は１階１Ｆの平面図を示すもので、第１居室空間Ｒ１のほぼ中央位置には、第１共通空間であるリビングダイニング区画Ｌ１が配置され、このリビングダイニング区画Ｌ１は、北側（図２上側）に配置された階段１０と、中央に配置されたキッチン１１と、南側に配置された居間１２とから構成されている。
【００１８】
また、このリビングダイニング区画Ｌ１の左右両側にはリビングルーム等の第２共通空間Ｌ２、Ｌ３がそれぞれ配置されている。
【００１９】
これら第２共通空間について詳細に説明すると、リビングダイニング区画Ｌ１の東側に位置する第２共通空間は、北側に玄関１５を備え、南側にリビングルーム１６を備えた玄関区画Ｌ２とされており、またもう一方の第２共通空間である居間水回り区画Ｌ３は、北側に洗面１７、防水パン１８、トイレ１９等の水回りと南側に和室２０を備えた構成となっている。
【００２０】
そして、階段１０は、居間水回り区画Ｌ３の水回りに面して配置され、これにより、階段１０を使って上階に進む場合には、玄関１５からリビングルーム１６、居間１２、和室２０（図示例では廊下２１）を通って進むこととなる。
【００２１】
なお、リビングダイニング区画Ｌ１のキッチン１１は、シンク１１ａと調理台１１ｂとがほぼＵ字型にレイアウトされ、シンク１１ａの前面に居間１２が設けられた構成となっている。
【００２２】
また、玄関区画Ｌ２の玄関１５はポーチ１５ａを入って東側に面したドア１５ｂから入るようになっており、玄関土間１５ｃとリビングルーム１６との間にはドア２５が設けられている。
【００２３】
一方、居間水回り区画Ｌ３には和室２０を囲むようにしてＬ字型をした廊下２１が設けられ、さらにトイレ１９は回り階段１０の下に位置するようになっている。
【００２４】
次に、本発明の特徴となる収納階ＫＦについて、図３を参照して説明する。
【００２５】
この収納階ＫＦには、ちょうど一階の水回りの直上に相当する位置に洗面２６、風呂２７が設けられ、和室２０と居間１２の上にそれぞれ第２収納区画Ｋ１と第２収納区画Ｋ２とが隣り合わせで配置された構造となっている。また、これら収納区画Ｋ１、Ｋ２の出入り口３０に面する位置には階段１０の踊り場１０ａが設けられ、この踊り場１０ａより収納区画Ｋ１、Ｋ２内に出入りできるようになっている。
【００２６】
そして、これら収納区画Ｋ１、Ｋ２に隣接しかつ１階キッチン１１の真上には、容積率等の関係で収納区画とはされてない矩形状のデッド区画Ｄが設けられており、このデッド区画Ｄ内には、キッチン１１に配置された調理台の排気ダクト１１ｄが配管されて、そのまま２階床下を通って外部に連通させられている。
【００２７】
プライベートな第２居室空間Ｒ２となる２階２Ｆは、図４に示すような構造となっている。すなわち、収納階ＫＦから上がる階段１０は廊下３１に面し、この廊下３１の突き当たりには、トイレ３２が配置されている。前記廊下３１に面する南側の部屋は子供部屋３３とされ、実施例では可動間仕切り３４によって、左右に仕切られた構成となっている。また、寝室３５は、住宅の東側に位置し、北側にウォークインクローゼット３６が配置されている。一方、この寝室３５と子供部屋３３の南側には２階の東西方向に沿ってインナーバルコニー３７が設けられており、このインナーバルコニー３７の床面３７ａは２階２Ｆの床面より若干下がった位置に設けられてインナーバルコニー３７の天井高さが高くなるように配慮されている。
【００２８】
本実施の形態によれば、玄関１５が入口から見て閉空間を構成し、玄関１５の奥の側方にリビングルーム１６への出入り口２５があり、この出入り口２５から入って、リビングルーム１６を介してダイニングキッチン１１の居間１２を見通すと、和室２０までもが見通せるようになり、１階共通空間での視界を大きく広げるようにすることができる。
【００２９】
また、住宅のほぼ中央位置に、北側に階段１０を中央にキッチン１１を南側に居間１２を備えたリビングダイニング区画Ｌ１を配置し、このリビングダイニング区画Ｌ１の両側に玄関区画Ｌ２と居間水回り区画Ｌ３とが配置されるため、１階中央のキッチン１１から南側の居間１２、そして左右のリビングルーム１６、和室２０というように、１階の全室が見通せるようになるため、主婦がキッチンで仕事をしている場合であっても、家族の出入りなどに十分に気を配ることができる。
【００３０】
また、このような実施形態の住宅においては、キッチン１１からの排気ダクト１１ｄを、収納階ＫＦの収納区画の一部（実施例ではデッド区画Ｄ）を通して外部に連通させられているため、収納階の一部がパイプスペースを確保することとなって、排気ダクトの配管を容易に施工し得て、居室中央にキッチンをレイアウトする間取りに対する適応性を上げることができる。
【００３１】
なお、上記実施の形態では、玄関を東入りの構成とした住宅の例を示したが、玄関を西入りとしても良く、また例えばリビングルームと居間とを並べて配置した共通空間の構成や、居間と和室との組み合わせ等、本案の要旨を損なうものでなければ、リビングルームや居間の構成等は図示例に限定されるものでないことはもちろんである。
【００３２】
【発明の効果】
以上のように、本発明によれば、キッチンを１階間取りの中心に据えて間取りを設計しても、収納階の一部をダクトスペースとして利用することにより、キッチンからの排熱を外部に逃がすためのダクトの配管スペースすなわちパイプスペースを容易に確保し得て、キッチンを住宅の中心とした場合の、キッチンからの排熱を外部に逃がすためのダクトの配管を容易に設計できる。
【図面の簡単な説明】
【図１】本発明の実施の形態に係る住宅の正面図である。
【図２】本発明の実施の形態に係る住宅の１階間取り図である。
【図３】本発明の実施の形態に係る住宅の収納階間取り図である。
【図４】本発明の実施の形態に係る住宅の２階間取り図である。
【図５】本発明の実施の形態に係る住宅の概要を示す断面図である。
【図６】本発明の実施の形態に係る住宅の概要を示す断面図である。
【符号の説明】
Ｒ１  第１居室空間
Ｒ２  第２居室空間
Ｌ１  リビングダイニング区画
Ｌ２  玄関区画
Ｌ３  居間水回り区画
Ｄ    デッド区画
１  住宅
２  屋根
３  太陽電池パネル
１０  階段
１１  キッチン
１１ｄ  排熱ダクト
１２  居間
１５  玄関
１６  リビングルーム
２０  和室
３３  子供部屋
３５  寝室
３７  インナーバルコニー
【図１】
0004150463.tif 000002
【図２】
0004150463.tif 000003
【図３】
0004150463.tif 000004
【図４】
0004150463.tif 000005
【図５】
0004150463.tif 000006
【図６】
0004150463.tif 000007